(57)【要約】【課題】エラーが発生したときに、そのエラーの発生及び内容を撮影者に分かりやすく知らせる。【解決手段】エンコーダ４５は、画像信号に対してＬＣＤ１８に画像を表示するための表示処理を施す。表示処理は、エンコーダ４５内のゲイン制御部４６、平均化処理部４７、アパーチャ処理部４８、ＬＰＦ処理部４９によって行われる。それら制御部または処理部は、予め設定された標準設定条件に基づいてそれら制御または処理を行う。撮影に伴うエラーが検出されたときに、標準設定条件に代えて、エラーを強調するエラー強調設定条件に基づいて制御または処理を行う。エラー強調設定条件に基づいて制御または処理された画像信号に基づいて、ＬＣＤ１８にエラーが強調された画像が表示される。【選択図】図３
2008085839.tif 000002
【特許請求の範囲】
【請求項１】
被写体を撮像して画像データを出力する撮像手段と、前記画像データに基づく画像を表示する表示手段と、予め設定された標準設定条件に基づいて前記画像データに表示処理を施し、前記画像を前記表示手段に表示させる表示制御手段とを備える撮像装置に用いられ、撮像に伴うエラーが発生したときに、前記エラーの内容を通知する撮像装置のエラー通知方法において、
前記エラーが発生したときに、前記標準設定条件に代えて、前記エラーを強調するエラー強調設定条件に基づいて前記表示制御手段に前記表示処理を行わせ、前記エラーが強調された画像を前記表示手段に表示させることを特徴とする撮像装置のエラー通知方法。
【請求項２】
前記エラーは、前記画像データから検出した被写体輝度が予め設定された基準被写体輝度の範囲内にない露出エラーであり、前記表示制御手段は、前記画像データに対して露出エラーを強調する露出エラー強調設定条件に基づいて表示処理を施すことを特徴とする請求項１記載の撮像装置のエラー通知方法。
【請求項３】
前記表示処理は、前記画像データの輝度値を調整するゲイン補正処理を含み、前記露出エラー強調設定条件は、前記基準被写体輝度よりも被写体輝度が低いときには前記標準設定条件よりも前記輝度値を低くし、前記基準被写体輝度よりも被写体輝度が高いときには前記標準設定条件よりも前記輝度値を高くすることを特徴とする請求項２記載の撮像装置のエラー通知方法。
【請求項４】
前記エラーは、撮像装置のブレに起因する手ブレエラーであり、前記表示制御手段は、前記画像データに対して前記手ブレエラーを強調する手ブレエラー強調設定条件に基づいて表示処理を施すことを特徴とする請求項１ないし３いずれか１項記載の撮像装置のエラー通知方法。
【請求項５】
前記表示処理は、前記画像データの各画素の画素値を各画素の周辺に配される複数の周辺画素の画素値の平均値に置き換える平均化処理を含み、前記手ブレエラー強調設定条件は、手ブレの方向に合わせて前記周辺画素を設定し、かつ手ブレの量に応じて前記標準設定条件よりも前記周辺画素の数を多くすることを特徴とする請求項４記載の撮像装置のエラー通知方法。
【請求項６】
前記エラーは、前記被写体に焦点が合っていないフォーカスエラーであり、前記表示制御手段は、前記画像データに対してフォーカスエラーを強調するフォーカスエラー強調設定条件に基づいて表示処理を施すことを特徴とする請求項１ないし５いずれか１項記載の撮像装置のエラー通知方法。
【請求項７】
前記表示処理は、前記画像データのシャープネスを調整するローパスフィルタ処理及びアパーチャ補正処理を含み、前記フォーカスエラー強調設定条件は、前記標準設定条件よりも前記ローパスフィルタ処理を強め、かつ前記標準設定条件よりも前記アパーチャ補正処理を弱めることを特徴とする請求項６記載の撮像装置のエラー通知方法。
【請求項８】
被写体を撮像して画像データを出力する撮像手段と、前記画像データに基づく画像を表示する表示手段と、予め設定された標準設定条件に基づいて前記画像データに表示処理を施し、前記画像を前記表示手段に表示させる表示制御手段とを備える撮像装置において、
撮像に伴うエラーが発生したときに、前記標準設定条件に代えて、前記エラーを強調するエラー強調設定条件に基づいて前記表示制御手段に前記表示処理を行わせ、前記エラーが強調された画像を前記表示手段に表示させることを特徴とする撮像装置。
【発明の詳細な説明】
【技術分野】
【０００１】
本発明は、撮影に伴うエラーをＬＣＤ等に表示する撮像装置のエラー通知方法及び撮像装置に関する。
【背景技術】
【０００２】
近年、ＣＣＤなどの固体撮像素子で撮像した被写体の像をデジタルの画像データに変換し、内蔵メモリやメモリカードなどの記憶媒体に記憶するデジタルカメラが普及している。通常、デジタルカメラには、撮像した画像を表示するＬＣＤ等の表示手段が設けられている。
【０００３】
ＬＣＤは、撮像した画像を表示する他に、手ブレエラーなどの撮影に伴うエラーの発生を、文字や図形等によって表示する。撮影者は、ＬＣＤに表示された文字等を通じて、エラーが発生したことを認識する。
【０００４】
エラーの発生を文字等で通知する発明に関連するものとして、特許文献１記載のファクシミリのエラー表示方法が挙げられる。この発明は、エラーが発生した事実やその内容を表示するのと同時に、そのエラーに対する対処方法もＬＣＤに表示することによって、エラーに対して迅速に対処することを可能としている。
【特許文献１】特開平６−１０５０５３号公報
【発明の開示】
【発明が解決しようとする課題】
【０００５】
しかしながら、エラーを文字等で通知する方法は、エラーを具体的にイメージさせにくいため、デジタルカメラに不慣れな撮影者はエラーの内容や対処方法が理解できないことがある。例えば、手ブレエラーが「手のマーク」で通知された場合には、単に撮影を中止せよとの指示に受け止められかねず、撮影者による手ブレエラーへの対応がなされないことがある。
【０００６】
本発明は、エラーが発生したときに、そのエラーの発生及び内容を撮影者に分かりやすく知らせることができる撮像装置のエラー通知方法及び撮像装置を提供することを目的とする。
【課題を解決するための手段】
【０００７】
上記課題を解決するために、本発明は、被写体を撮像して画像データを出力する撮像手段と、前記画像データに基づく画像を表示する表示手段と、予め設定された標準設定条件に基づいて前記画像データに表示処理を施し、前記画像を前記表示手段に表示させる表示制御手段とを備える撮像装置に用いられ、撮像に伴うエラーが発生したときに、前記エラーの内容を通知する撮像装置のエラー通知方法において、前記エラーが発生したときに、前記標準設定条件に代えて、前記エラーを強調するエラー強調設定条件に基づいて前記表示制御手段に前記表示処理を行わせ、前記エラーが強調された画像を前記表示手段に表示させることを特徴とする。
【０００８】
前記エラーは、前記画像データから検出した被写体輝度が予め設定された基準被写体輝度の範囲内にない露出エラーであり、前記表示制御手段は、前記画像データに対して露出エラーを強調する露出エラー強調設定条件に基づいて表示処理を施すことが好ましい。前記表示処理は、前記画像データの輝度値を調整するゲイン補正処理を含み、前記露出エラー強調設定条件は、前記基準被写体輝度よりも被写体輝度が低いときには前記標準設定条件よりも前記輝度値を低くし、前記基準被写体輝度よりも被写体輝度が高いときには前記標準設定条件よりも前記輝度値を高くすることが好ましい。
【０００９】
前記エラーは、撮像装置のブレに起因する手ブレエラーであり、前記表示制御手段は、前記画像データに対して前記手ブレエラーを強調する手ブレエラー強調設定条件に基づいて表示処理を施すことが好ましい。前記表示処理は、前記画像データの各画素の画素値を各画素の周辺に配される複数の周辺画素の画素値の平均値に置き換える平均化処理を含み、前記手ブレエラー強調設定条件は、手ブレの方向に合わせて前記周辺画素を設定し、かつ手ブレの量に応じて前記標準設定条件よりも前記周辺画素の数を多くすることが好ましい。
【００１０】
前記エラーは、前記被写体に焦点が合っていないフォーカスエラーであり、前記表示制御手段は、前記画像データに対してフォーカスエラーを強調するフォーカスエラー強調設定条件に基づいて表示処理を施すことが好ましい。前記表示処理は、前記画像データのシャープネスを調整するローパスフィルタ処理及びアパーチャ補正処理を含み、前記フォーカスエラー強調設定条件は、前記標準設定条件よりも前記ローパスフィルタ処理を強め、かつ前記標準設定条件よりも前記アパーチャ補正処理を弱めることが好ましい。
【００１１】
本発明は、被写体を撮像して画像データを出力する撮像手段と、前記画像データに基づく画像を表示する表示手段と、予め設定された標準設定条件に基づいて前記画像データに表示処理を施し、前記画像を前記表示手段に表示させる表示制御手段とを備える撮像装置において、撮像に伴うエラーが発生したときに、前記標準設定条件に代えて、前記エラーを強調するエラー強調設定条件に基づいて前記表示制御手段に前記表示処理を行わせ、前記エラーが強調された画像を前記表示手段に表示させることを特徴とする。
【発明の効果】
【００１２】
本発明によれば、撮影に伴うエラーが強調された画像を表示手段に表示するようにしたので、エラーの発生及びエラーの内容を撮影者に分かりやすく通知することができる。
【００１３】
また、露出エラー時には、露出エラー強調設定条件に基づいてゲイン補正処理を行い、露出が適正ではない状態が強調された画像を表示手段に表示するので、撮影者に対し露出エラーが発生していることを認識させることができる。
【００１４】
また、手ブレエラー時には、手ブレエラー強調設定条件に基づいて平均化処理を行い、手ブレが強調された画像を表示手段に表示するので、撮影者に対し手ブレが発生していることを認識させることができる。さらに、手ブレ方向及び手ブレ量に基づいて、移動平均処理に用いる周辺画素の方向及び数を変更できるので、手ブレの発生とともに、手ブレしている方向と、手ブレの大きさをユーザーに知らせることができる。
【００１５】
また、フォーカスエラー時には、フォーカスエラー強調設定条件に基づいてローパスフィルタ処理及びアパーチャ補正処理を行うことにより、フォーカスの合っていない状態が強調された画像を表示手段に表示するので、撮影者に対しフォーカスエラーが発生していることを認識させることができる。
【発明を実施するための最良の形態】
【００１６】
図１に示すように、デジタルカメラ２の前面には、撮像レンズ１０を保持するレンズ鏡胴１１が組み込まれている。このレンズ鏡胴１１の内部には、ジャイロセンサ１２が設けられている。このジャイロセンサ１２には、撮影者の手の振動に起因するデジタルカメラ２のブレ（以下「手ブレ」という）を、その手ブレの移動方向ＭＤと移動量ＭＶとして検出する。
【００１７】
デジタルカメラ２の上面には、レリーズボタン１３、電源スイッチ１４及びモードダイヤル１５が設けられている。その側面にはメモリーカードスロット（図示省略）を覆う蓋１６が設けられており、そのメモリーカードスロットにはメモリーカード５８（図３参照）が着脱自在に装填される。
【００１８】
図２に示すように、デジタルカメラ２の背面には、電子ビューファインダを構成するファインダ接眼窓１７、液晶表示器１８（ＬＣＤ）及び操作部１９が設けられている。ＬＣＤ１８には、撮影した画像やいわゆるスルー画、各種メニュー画面が表示される。操作部１９には、ＬＣＤ１８にメニュー画面を表示させる際や、選択内容を決定する際に操作されるメニューボタン２１、メニュー画面内でカーソルを移動させる十字キー２２から構成される。
【００１９】
デジタルカメラ２では、撮影を行う撮影モード、撮影した画像をＬＣＤ１８に表示する再生モード及び各種設定を行う設定モードが選択可能となっている。これらのモードの切り替えは、モードダイヤル１５の回動操作により行われる。
【００２０】
レリーズボタン１３には、いわゆる半押し、全押しの２段階の押圧操作が可能な操作ボタンが用いられている。電子ビューファインダ１７またはＬＣＤ１８によるフレーミングの後に、レリーズボタン１３を半押しすると、自動露光調整（ＡＥ）、自動焦点調整（ＡＦ）などにより最適な撮影条件の設定がなされる。レリーズボタン１３を半押しの状態からさらに全押しすると、半押し時の撮影条件に基づいて、画像データが作成される。その後に、その画像データは、圧縮処理が施され、メモリーカード５８に記録される。
【００２１】
図３に示すように、デジタルカメラ２の各部は、データバス２３を介して接続されたＣＰＵ２４により制御される。ＣＰＵ２４には、ＥＥＰＲＯＭ２５が接続されている。ＥＥＰＲＯＭ２５には、デジタルカメラ２の制御プログラムが記憶されたプログラム記憶部２６と、ＬＣＤ１８に画像を表示するための表示処理に用いられる各種設定値が記憶された第１記憶部２７及び第２記憶部２８とが設けられている。
【００２２】
撮影光軸方向において、撮影レンズ１０の背後には絞り３１が配置されている。撮影レンズ１０は、レンズモータ３０によって撮影光軸方向で移動され、焦点調節が行われる。また、絞り３１は、アイリスモータ３２によって絞り量が調整される。これらのモータ３０，３２には、例えばステッピングモータが用いられており、ＣＰＵ２４に接続されたモータドライバ３４，３５から送信される駆動パルスにより制御される。
【００２３】
撮像レンズ１０及び絞り３１の背後にはＣＣＤ３６が設けられており、このＣＣＤ３６の受光面に撮像レンズ１０を透過した被写体光が入射する。ＣＣＤ３６は、入射した被写体光をアナログの撮像信号に変換する。ＣＣＤ３６には、ＣＰＵ２４によって制御されるタイミングジェネレータ３７（以下「ＴＧ」という）が接続され、このＴＧ３７から入力されるタイミング信号（クロックパルス）により、電子シャッタのシャッタ速度が決定される。
【００２４】
ＣＣＤ３６には相関二重サンプリング回路３８（以下「ＣＤＳ」という）が接続されており、ＣＣＤ３６からのアナログの撮像信号をサンプリングする。サンプリングされた撮像信号は、ＣＤＳ３８に接続されたＡＭＰ３９により、撮影感度に応じたゲインで増幅される。増幅された撮像信号は、ＡＭＰ３９に接続されたＡ／Ｄ変換器４０（以下「Ａ／Ｄ」という）により、アナログからデジタルの画像データへと変換される。
【００２５】
画像入力コントローラ４１は、データバス２３への画像データの入力を制御する。Ａ／Ｄ４０から出力された画像データは、ＹＣ変換処理回路４２に入力されて輝度Ｙ及び色差Ｃｂ，Ｃｒからなるデジタルの画像信号に変換される。この画像信号は、データバス２３を介してＳＤＲＡＭ４３に記憶される。
【００２６】
画像信号は、ＳＤＲＡＭ４３から読み出されてエンコーダ４５に入力される。エンコーダ４５は、画像信号をエンコードしてデジタルの輝度信号Ｙｄと色差信号Ｃｄとに変換し、ＬＣＤ１８に画像を表示するための表示処理を施す。エンコーダ４５は、輝度信号Ｙｄと色差信号Ｃｄとに表示処理を行う表示制御手段として、画像の明るさを調整するゲイン制御部４６と、画像の濃淡変動を調整する平均化処理部４７と、画像のシャープネスを調整するアパーチャ処理部４８及びローパスフィルタ処理部（以下「ＬＰＦ処理部」という）４９とを備えている。
【００２７】
エンコーダ４５でエンコードされ、表示処理が施された輝度信号Ｙｄ及び色差信号Ｃｄは、ＬＣＤドライバ５０に入力される。ＬＣＤドライバ５０は、輝度信号Ｙｄ及び色差信号ＣｄをＲ，Ｇ，Ｂの３色のデジタル表示データに変換し、このデジタル表示データに基づいてＬＣＤ１８に画像を表示させる。
【００２８】
デジタルカメラ２が撮影モードにセットされると、撮影レンズ１０〜ＬＣＤ１８は上述のように動作し、ＬＣＤ１８にはスルー画像が表示される。撮影者は、ＬＣＤ１８に表示されるスルー画像を見ながら撮影範囲を決定する。
【００２９】
ＡＥ検出回路５２及びＡＦ検出回路５３は、上述したスルー画像表示中に一定時間間隔で動作し、かつレリーズボタン１３が半押しされたときにも動作する。ＡＥ検出回路５２は、ＳＤＲＡＭ４３に記憶されている画像信号の輝度Ｙから被写体輝度を検出し、この被写体輝度に基づいて適正露出を算出する。また、算出した適正露出から、この適正露出に適合するシャッタスピード、絞り値、撮影感度、フラッシュ発光の有無等を決定し、これらをＣＰＵ２４に入力する。ＣＰＵ２４は、入力されたデータに基づいて、ＴＧ３７、モータドライバ３４，３５等を制御する。
【００３０】
ＡＦ検出回路５３は、撮影レンズ１０を撮影光軸方向で移動させ、この移動の所定間隔ごとにＳＤＲＡＭ４３に記憶された画像信号の輝度Ｙの高周波成分を積算し、このＡＦ積算値が最大となる焦点位置を検出する。ＣＰＵ２４は、ＡＦ検出回路５３によって検出された焦点位置に撮影レンズ１０を移動させる。
【００３１】
レリーズボタン１３が全押しされると、絞り３１はＡＥ検出回路５２で決定された絞り値にセットされる。次に、ＣＣＤ３６の電荷が強制的にドレインされ、光電変換を開始させる。所定の露光時間が経過すると、ＣＣＤ３６の電子シャッタが作動して光電変換が停止される。光電変換停止後にＣＣＤ３６から出力された撮像信号は、ＣＤＳ３６、ＡＭＰ３９、Ａ／Ｄ４０を経てＹＣ変換処理回路４２に入力され、輝度Ｙ、色差Ｃｂ，Ｃｒの画像信号に変換されてＳＤＲＡＭ４３に記憶される。
【００３２】
ＳＤＲＡＭ４３から読み出された画像信号は、画像処理回路５５に入力されてガンマ変換、ホワイトバランス、シャープネス処理等が施され、再びＳＤＲＡＭ４３に記憶される。圧縮伸長処理回路５６は、ＳＤＲＡＭ４３から画像データを読み出してＪＰＥＧ等の画像データに圧縮する。圧縮された画像データは、メディアコントローラ５７を介してメモリーカード５８に記憶される。なお、圧縮伸長処理回路５６は、メモリーカード５８に記憶されている画像を再生する際に、圧縮されている画像データに伸長処理を施す。
【００３３】
ＣＰＵ２４は、制御プログラムにより、露出判定部６０、手ブレ判定部６１、フォーカス判定部６２として動作する。露出判定部６０は、ＡＥ検出回路５２から入力された被写体輝度と、予め設定されている基準被写体輝度とを比較し、被写体輝度が基準被写体輝度の範囲内にないときに露出エラーであると判定する。基準被写体輝度は、例えば制御プログラムとともにプログラム記憶部２６に記憶されている。
【００３４】
ＣＰＵ２４は、露出エラーでないと判定したときに、ＥＥＰＲＯＭ２５の第１記憶部２７から正常ゲイン設定値を読み出してゲイン制御部４６に入力する。また、露出エラーであると判定した場合には、第２記憶部２８からエラーゲイン設定値を読み出し、同様にゲイン制御部４６に入力する。なお、正常ゲイン設定値は本発明の標準設定条件に相当し、エラーゲイン設定値は本発明の露出エラー強調設定条件に相当する。
【００３５】
ゲイン制御部４６は、輝度信号Ｙｄを増幅し、ＬＣＤ１８に表示される画像の明るさを調整するゲイン処理を行う。ゲイン処理は、正常ゲイン設定値、またはエラーゲイン設定値に基づいて行われる。正常ゲイン設定値は、ＬＣＤ１８に表示された画像が見やすい明るさとなるように設定されている。
【００３６】
エラーゲイン設定値は、被写体輝度に応じて設定されている。例えば、被写体輝度が基準被写体輝度よりも低いとき、すなわち露出アンダーのときには、正常ゲイン設定値よりも増幅率が低くなるように設定されており、反対に被写体輝度が基準被写体輝度よりも高いとき、すなわち露出オーバーのときには、正常ゲイン設定値よりも増幅率が高くなるように設定されている。これにより、被写体輝度が低いときには、ＬＣＤ１８に表示される画像が暗くなるように強調表示され、反対に被写体輝度が高いときには画像が明るくなるように強調表示されるため、露出エラーが発生していることが分かりやすくなる。
【００３７】
手ブレ判定部６１は、ジャイロセンサ１２から入力された手ブレの移動量ＭＶと、予め設定されている許容手ブレ量とを比較し、移動量ＭＶが許容手ブレ量よりも大きいときに手ブレエラーであると判定する。なお、許容手ブレ量は、例えばプログラム記憶部２６に記憶されている。
【００３８】
ＣＰＵ２４は、手ブレエラーではないと判定したときには、第１記憶部２７から正常平均化設定値を読み出して平均化処理部４７に入力する。また、手ブレエラーであると判定した場合には、第２記憶部２８からエラー平均化設定値を読み出し、同様に平均化処理部４７に入力する。なお、正常平均化設定値は本発明の標準設定条件に相当し、エラー平均化設定値は本発明の手ブレエラー強調設定条件に相当する。
【００３９】
平均化処理部４７は、輝度信号Ｙｄの各画素を各画素の周辺画素の平均値に置き換える平均化処理を行い、ＬＣＤ１８に表示される画像の濃淡変動を小さくして平滑化を図る。平均化処理は、正常平均化設定値、またはエラー平均化設定値に基づいて、行われる。
【００４０】
図４（Ａ）に示すように、正常平均化設定値に基づく平均化処理は、例えば、輝度信号Ｙｄの一つの画素を注目画素６５としたときに、注目画素６５と、この注目画素６５の周囲に配される８個の周辺画素６６（縦×横＝３×３）の画素値の平均値を算出し、（Ｂ）に示すように、注目画素６５及び周辺画素６６の画素値をこの平均値と置き換える。この平均化処理を輝度信号Ｙｄの全画素に行うことにより、画像の濃淡変動が小さくなってノイズが減少し、ＬＣＤ１８に表示された画像が見やすくなる。
【００４１】
また、エラー平均化設定値は、手ブレの移動方向ＭＤ及び移動量ＭＶに応じて設定されている。例えば、デジタルカメラ２が縦方向で許容手ブレ量以上の手ブレを起こしている場合には、図５（Ａ）に示すように、注目画素７０と、この注目画素６５に対して縦方向で両隣に隣接する４個の周辺画素７１（縦×横＝５×１）の平均値を算出し、（Ｂ）に示すように、注目画素７０及び周辺画素７１の画素値をこの平均値と置き換える。また、デジタルカメラ２が横方向で許容手ブレ量以上の手ブレを起こしている場合には、注目画素７０と、この注目画素７０に対して横方向で両隣に隣接する４個の周辺画素７２（縦×横＝１×５）の平均値を算出し、（Ｃ）に示すように、注目画素７０及び周辺画素７２の画素値をこの平均値と置き換える。
【００４２】
周知のように、平均化処理は、周辺画素の数を多くすることによって画像をぼかすことができる。そのため、手ブレ発生時にＬＣＤ１８に表示される画像は、手ブレ状態が強調して表示されるので、手ブレエラーが発生していることが分かりやすくなる。また、手ブレ量に応じて画像のぼけがより強調されるので、手ブレのレベルも撮影者に知らせることができる。なお、周辺画素の数は５個に限定されず、手ブレの移動量ＭＶに応じて加減されるが、正常平均化設定値を用いたときとの差異を明確にするため、４個以上であることが好ましい。
【００４３】
フォーカス判定部６２は、ＡＦ検出回路５３から入力されたＡＦ積算値と、予め設定されている基準積算値とを比較し、ＡＦ積算値が基準積算値よりも小さいときにフォーカスエラーであると判定する。なお、基準積算値は、例えばプログラム記憶部２６に記憶されている。
【００４４】
ＣＰＵ２４は、フォーカスエラーではないと判定したときには、第１記憶部２７から正常アパーチャ設定値及び正常ＬＰＦ設定値を読み出して、アパーチャ処理部４８及びＬＰＦ処理部４９に入力する。また、フォーカスエラーであると判定した場合には、第２記憶部２８からエラーアパーチャ設定値及びエラーＬＰＦ設定値を読み出して、アパーチャ処理部４８及びＬＰＦ処理部４９に入力する。なお、正常アパーチャ設定値及び正常ＬＰＦ設定値は本発明の標準設定条件に相当し、エラーアパーチャ設定値及びエラーＬＰＦ設定値は本発明のフォーカスエラー強調設定条件に相当する。
【００４５】
アパーチャ処理部４８は、輝度信号Ｙｄの濃淡変動の大きい部分、すなわち輪郭を強調するアパーチャ処理を行う。アパーチャ処理は、正常アパーチャ設定値、またはエラーアパーチャ設定値に基づいて、行われる。また、ＬＰＦ処理部４９は、輝度信号Ｙｄの高周波成分をカットし、アパーチャ処理部４８によって発生した画像のノイズを除去するローパスフイルタ処理（以下「ＬＰＦ処理」という）を行う。ＬＰＦ処理は、正常ＬＰＦ設定値、またはエラーＬＰＦ設定値に基づいて、行われる。このアパーチャ処理部４８及びＬＰＦ処理部４９により、ＬＣＤ１８に表示される画像のシャープネスが調整される。
【００４６】
正常アパーチャ設定値及び正常ＬＰＦ設定値は、ＬＣＤ１８に表示される画像のシャープネスが適正に調整されるように設定されている。これに対し、エラーアパーチャ設定値及びエラーＬＰＦ設定値は、正常アパーチャ設定値に比べて輪郭強調レベルが弱くなるように設定されている。また、エラーＬＦＰ設定値は、正常ＬＰＦ設定値よりも低い高周波成分までカットするように設定されている。これにより、フォーカスエラーが発生したときには、輪郭がぼけた画像がＬＣＤに強調表示されるので、フォーカスエラーが発生していることが分かりやすくなる。
【００４７】
次に、デジタルカメラ２のスルー画の表示処理について、図６のフローチャートを用いて説明する。デジタルカメラ２の電源をＯＮにし、操作部１９の操作によって、撮影モードに設定し、ＬＣＤ１８の電源をＯＮにする。
【００４８】
そして、レリーズボタン１３の半押しがなされるまで、エンコーダ４５に送られた画像信号に対して、正常ゲイン設定値に基づいたゲイン制御（「正常ゲイン制御」という）、正常平均化設定値に基づいた平均化処理（「正常平均化処理」という）、正常アパーチャ設定値に基づいたアパーチャ処理（「正常アパーチャ処理」という）、正常ＬＰＦ設定値に基づいたＬＰＦ処理（「正常ＬＰＦ処理」という）が行われる。それら、制御及び処理が行われた画像信号はＬＣＤドライバ５０に入力されて、デジタル表示データに変換され、このデジタル表示データに基づいてＬＣＤ１８にスルー画が表示される。なお、再生モード時においても、エンコーダ４５に送られた画像信号に対して、正常ゲイン制御、正常平均化処理、正常アパーチャ処理、正常ＬＰＦ処理が行われる。
【００４９】
レリーズボタン１３の半押しがなされると、エンコーダに送られた画像信号に対して、以下のような制御及び処理が施される。ＣＰＵ２４の露出判定部６０において、露出エラーではないと判定された場合には、正常ゲイン処理が行われる。一方、露出エラーであって露出アンダーの場合には、エラーゲイン設定値に基づいて、正常ゲイン設定値でゲイン制御したときよりも増幅率が低くなるように、ゲイン制御が行われる。また、露出エラーであって露出オーバーの場合には、エラーゲイン設定値に基づいて、正常ゲイン設定値でゲイン制御したときよりも増幅率が高くなるように、ゲイン制御が行われる。以下の記載又は図６において、エラーゲイン設定値に基づいたゲイン制御をエラーゲイン制御という。
【００５０】
そして、ＣＰＵ２４の手ブレ判定部６１において、手ブレエラーではないと判定された場合には、正常ゲイン制御またはエラーゲイン制御が行われた画像信号に対して正常平均化処理が行われる。一方、手ブレエラーと判定された場合には、正常ゲイン制御またはエラーゲイン制御が行われた画像信号に対して、エラー平均化設定値に基づいた平均化処理（「エラー平均化処理」という）が行われる。
【００５１】
さらに、ＣＰＵ２４のフォーカス判定部６２において、フォーカスエラーではないと判定された場合には、正常平均化処理またはエラー平均化処理が行われた画像信号に対して正常アパーチャ処理と正常ＬＰＦ処理が行われる。一方、フォーカスエラーであると判定された場合には、正常平均化処理またはエラー平均化処理が行われた画像信号に対して、エラーアパーチャ設定値に基づいたアパーチャ処理（「エラーアパーチャ処理」という）が行われる。同時に、その画像信号に対して、エラーＬＰＦ設定値に基づいたＬＰＦ処理（「エラーＬＰＦ処理」という）が行われる。そして、以上の制御及び処理が行われた画像信号はＬＣＤドライバ５０に入力されて、デジタル表示データに変換され、このデジタル表示データに基づいてＬＣＤ１８にスルー画が表示される。
【００５２】
ＬＣＤ１８に表示される画像は、前述の各種エラーがあった場合には、以下のようになる。露出オーバーの場合には、表示される画像が更に明るくなり、露出アンダーの場合には、表示される画像が更に暗くなる。また、手ブレエラーがあった場合には、手ブレの移動方向ＭＤに揺れたような感じになり、その揺れは手ブレの移動量ＭＶに比例して、大きくなったり小さくなったりする。また、フォーカスエラーがあった場合には、表示される画像が更にボケた感じの画像になる。
【００５３】
なお、本実施形態では、フォーカスエラー、露出エラー、手ブレエラーの３つのエラーが検出されたときに、それらエラーを強調する処理を、エンコーダに送られる画像信号に対して行ったが、その他の撮影に伴うエラーが検出されたときも、同様の処理を行ってもよい。
【００５４】
なお、本実施形態では、レリーズボタンが半押しされたときに、エラーを強調する処理を、エンコーダに送られる画像信号に対して行ったが、これに限らず、例えば、スルー画が表示されている間に一定時間で、エラーを強調する処理を行ってもよい。
【００５５】
なお、本実施形態では、デジタルカメラを例にしてそのエラー通知方法を説明したが、本発明はこれに限定せず、カメラ付き携帯電話やビデオカメラなどの撮像装置にも適用することが可能である。
【図面の簡単な説明】
【００５６】
【図１】デジタルカメラの正面側を示す斜視図である。
【図２】デジタルカメラの背面側を示す平面図である。
【図３】デジタルカメラの電気的構成を示すブロック図である。
【図４】正常平均化処理を説明する図である。
【図５】エラー平均化処理を説明する図である。
【図６】スルー画の表示処理を示すフローチャートである。
【符号の説明】
【００５７】
２  デジタルカメラ
１２  ジャイロセンサ
１３  レリーズボタン
１８  ＬＣＤ
２４  ＣＰＵ
２５  ＥＥＰＲＯＭ
２７  第１記憶部
２８  第２記憶部
４５  エンコーダ
４６  ゲイン制御部
４７  平均化処理部
４８  アパーチャ処理部
４９  ＬＰＦ処理部
６０  露出判定部
６１  手ブレ判定部
６２  フォーカス判定部
【図１】
2008085839.tif 000003
【図２】
2008085839.tif 000004
【図３】
2008085839.tif 000005
【図４】
2008085839.tif 000006
【図５】
2008085839.tif 000007
【図６】
2008085839.tif 000008